(57)【要約】  照明モジュール（１）であって、前面に少なくとも１つの光源（３）、特に発光ダイオードを取り付けられたプリント配線板（２）を有しており、少なくとも１つの光源（３）を側方から環状に取り囲み、少なくとも１つの光源（３）を越えて前方へと延びる中空の光ガイドエレメント（４）を有しており、前記光ガイドエレメント（４）の内面（４ａ）が少なくとも部分的に反射するように構成されていて、光ガイドエレメント（４）の前側の開口が、照明モジュール（１）の光出射開口（Ｌ）に相当する。
2013513198.tif 000002
【特許請求の範囲】
【請求項１】
照明モジュール（１）であって、
前面に少なくとも１つの光源（３）、特に発光ダイオードを取り付けられたプリント配線板（２）を有しており、
少なくとも１つの光源（３）を側方から環状に取り囲み、少なくとも１つの光源（３）を越えて前方へと延びる中空の光ガイドエレメント（４；３１；３３）を有しており、
前記光ガイドエレメント（４；３１；３３）の内面（４ａ；３２；３４）が少なくとも部分的に反射するように構成されていて、光ガイドエレメント（４；３１；３３）の前側の開口が、照明モジュール（１）の光出射開口（Ｌ）に相当することを特徴とする、照明モジュール（１）。
【請求項２】
光出射開口（Ｌ）の平面が、少なくとも１つの発光ダイオード（３）の平面に対して平行に位置している、請求項１記載の照明モジュール（１）。
【請求項３】
光ガイドエレメント（４；３１；３３）が、実質的に中空円筒状の基本形状を有している、請求項１又は２記載の照明モジュール（１）。
【請求項４】
光ガイドエレメント（４）が導電性でない材料から成っている、請求項１から３までのいずれか１項記載の照明モジュール（１）。
【請求項５】
光出射開口（Ｌ）に取付けエレメント（１６）を取り付けるための少なくとも１つの受容手段（１１，１２）が設けられている、請求項１から４までのいずれか１項記載の照明モジュール（１）。
【請求項６】
前記受容手段が、固定用インターフェース（１１，１２）として形成されている、請求項５記載の照明モジュール（１）。
【請求項７】
照明モジュール（１）が、プリント配線板（２）の前面に配置された電子構成部材（３０）の少なくとも一部のためにカバー（６）を有しており、該カバー（６）の前面（１０）が、ほぼ光出射開口（Ｌ）の平面に位置している、請求項１から６までのいずれか１項記載の照明モジュール（１）。
【請求項８】
光ガイドエレメント（４；３１；３３）が、プリント配線板（２）の前面に配置された電子構成部材（３０）の少なくとも一部のための前記環状カバー（６）によって、側方から環状に少なくとも部分的に取り囲まれている、請求項１から７までのいずれか１項記載の照明モジュール（１）。
【請求項９】
光ガイドエレメント（４；３１；３３）の光出射開口（Ｌ）から、少なくとも１つの光源（３）に直接接近することができる、請求項１から８までのいずれか１項記載の照明モジュール（１）。
【請求項１０】
光ガイドエレメント（３１）が前方に向かって拡開する内面を有している、請求項１から９までのいずれか１項記載の照明モジュール（１）。
【請求項１１】
光ガイドエレメント（３３）が前方に向かって減径する内面を有している、請求項１から９までのいずれか１項記載の照明モジュール（１）。
【請求項１２】
光ガイドエレメント（４）の内面（４ａ；３２；３４）が、光学作用を有する表面構造を有している、請求項１から１１までのいずれか１項記載の照明モジュール（１）。
【請求項１３】
前記表面構造が波形構造である、請求項１２記載の照明モジュール（１）。
【請求項１４】
前記表面構造が、粗面加工された表面を有している、請求項１２又は１３記載の照明モジュール（１）。
【請求項１５】
光ガイドエレメント（４）の内面が少なくとも部分的に着色されている、請求項１から１４までのいずれか１項記載の照明モジュール（１）。
【発明の詳細な説明】
【技術分野】
【０００１】
本発明は、照明モジュールであって、前面に少なくとも１つの光源、特に発光ダイオードを備えたプリント配線板を有する形式のものに関する。
【０００２】
発光ダイオードに基づくコンパクトな照明モジュールには基板が必要であり、この基板上には発光ダイオード自体（例えば個々の発光ダイオード）と、発光ダイオード、ひいては光放射の稼働及び制御のための電子的な構成部材とが取り付けられている。後続の光学機器（例えばレンズ又はリフレクタ）は、典型的に構成高さが比較的大きいことにより、また、電気的な間隔が必要であることにより、実際の発光ダイオードに対して、不都合な間隔をもって配置されなければならず、このことはこれらの光学機器への入射効率を悪化させる。
【０００３】
ドイツ連邦共和国特許出願公開第102007015475号明細書に開示された多重発光ダイオードモジュールは、少なくとも１つの第１の発光ダイオードと第２の発光ダイオードとを備えた複数の発光ダイオードと、中空室及び／又は光混合ロッドとを有した光混合エレメントとを備えており、光混合エレメントは反射面と光出射面とを有しており、多数の発光ダイオードから、稼働中に放射される電磁的なビームが、反射面で反射され、この場合、混合され、反射され混合されたビームは光出射面から出射される。このような多重発光ダイオードモジュールの欠点は、結合された複数の基板を有する冷却しにくい、手間とコストのかかる構造が必要であることにある。
【０００４】
本発明の課題は、先行技術の欠点を少なくとも部分的に解消し、特に簡単に構成され、簡単かつ効果的に光学的にコンタクト可能な照明モジュールを提供することである。
【０００５】
前記課題は、独立請求項の特徴部分に記載された構成によって解決される。有利な実施形態は、とりわけ従属請求項から導き出すことができる。
【０００６】
この課題を解決するために本発明の構成では、照明モジュールが、前面に少なくとも１つの光源、特に発光ダイオードを取り付けられたプリント配線板を有しており、少なくとも１つの光源を側方から環状に取り囲み、少なくとも１つの光源を越えて前方へと延びる中空の光ガイドエレメントを有しており、前記光ガイドエレメントの内面が少なくとも部分的に反射するように構成されていて、光ガイドエレメントの前面の開口が、照明モジュールの光出射開口に相当するようにした。
【０００７】
光源の光は、「光通路」として作用する光ガイドエレメントによって、光源の平面から、照明モジュールのより高い位置の平面、即ち、光出射開口の平面へとガイドされる。これにより、電子構成部材（コンデンサ、抵抗、ドライブユニット等）のために必要な構成スペースを橋絡することもでき、より高い位置の新たな光出射平面を規定することもできる。取付けエレメント（光学的若しくは光学的にアクティブなエレメント等）は、光を放射する新たな平面としての光出射開口の近傍に任意に近づけることができ、これにより入射損失を回避することができる。
【０００８】
光ガイドエレメントが少なくとも１つの光源を側方から環状に取り囲むとは、光ガイドエレメントが光源に対して前方に向かってずらされていて、即ち、少なくとも１つの光源（正確には、光源の放射面）に対して（少なくとも僅かな）鉛直方向の間隔を有しているという場合も含む。しかしながら、光損失を回避するためには、光ガイドエレメントが光源に対して前方に向かってずらされていない場合が有利である。
【０００９】
有利には少なくとも１つの光源が少なくとも１つの発光ダイオードを有している。複数の発光ダイオードが設けられている場合には、これらは同じ色又は異なる色で発光することができる。１つの色は単色（例えば赤、緑、青等）又は多色（例えば白）であって良い。少なくとも１つの発光ダイオードから発せられる光は、赤外線（IR-LED）又は紫外線（UV-LED）であっても良い。複数の発光ダイオードは混合光、例えば白色の混合光を発生させることができる。少なくとも１つの発光ダイオードは、少なくとも１つの波長を変化させる発光物質を含んでいて良い（conversion LED）。少なくとも１つの発光ダイオードは、少なくとも１つの個別にケーシングされた発光ダイオードの形で、又は少なくとも１つのＬＥＤチップの形で設けることができる。複数のＬＥＤチップは１つの共通の基板（Submount）に取り付けることができる。少なくとも１つの発光ダイオードには、ビームをガイドするために少なくとも１つの固有の及び／又は共通の光学機器を装備することができ、それは例えば少なくとも１つのフレネルレンズやコリメータ等である。例えばＩｎＧａＮ又はＡｌＩｎＧａＰを基礎とした無機発光ダイオードの代わりに又はそれに加えて、一般に有機ＬＥＤ（OLED、例えばポリマOLED）を使用することもできる。また、例えばダイオードレーザを使用しても良い。選択的には少なくとも１つの光源が、例えば少なくとも１つのダイオードレーザを有していて良い。
【００１０】
一実施態様では、光出射開口の平面が、少なくとも１つの光源の平面に対して平行に位置している。これにより「光のインターフェース」を簡単に、光源が配置されている光源の平面から、主放射方向又は光学的な軸線の方向で前方に向かって、上昇させることができる。選択的には、光出射開口の平面は、少なくとも１つの光源の平面に対して屈曲して位置しても良い。
【００１１】
さらに一実施態様では、光ガイドエレメントが、ほぼ中空円筒状の基本形状を有している。このような形状は特に簡単に製造可能かつ組み付け可能である。
【００１２】
さらに一実施態様では、光ガイドエレメントが導電性ではない材料又は非導電材料から成っている。従って、導電的な取付けエレメント（例えば、アルミニウムリフレクタ）を、プリント配線板の導電的な部分から絶縁することができ、このことは、エアギャップ及び漏れ経路の維持を簡単にする。光ガイドエレメントは、例えばＰＣ、ＰＭＭＡ、ＣＯＣ、ＣＯＰのようなプラスチック又はガラスから成っていて良い。
【００１３】
さらに一実施態様では、照明モジュールが、光出射開口上に取付けエレメントを取り付けるための少なくとも１つの受容手段を有している。このような受容手段は特に、光出射開口に関して取付けエレメントを位置調整するために利用することができる。このような受容手段は特に、種々異なる照明モジュールのために規定された（標準化された）、光出射開口に対する所定の位置を有することができるので、取付けエレメントの設計は、このような（取付けエレメントを有していない）照明モジュールの設計とは無関係に行うことができる。
【００１４】
特別な一実施態様では、受容手段が固定用インターフェースとして形成されていて、適合する構成では、取付けエレメントを、光出射開口に関して所定の位置で照明モジュールに固定することができる。固定用インターフェースは例えば、バヨネット結合部の一部、ねじ結合部（広義では回転結合部）の一部、差込結合部の一部等である。
【００１５】
一実施態様では、照明モジュールが、プリント配線板の前面に配置された電子構成部材の少なくとも一部のためのカバーを有していて、この場合、カバーの前面は、ほぼ光出射開口の平面に位置している。これにより特に、照明モジュールのほぼ扁平な前側の表面が得られ、ここでは、光出射開口がほぼ同一平面に位置している。
【００１６】
さらに一実施態様では、光ガイドエレメントが側方で少なくとも部分的に、プリント配線板の前面に配置された電子構成部材の少なくとも一部のための環状カバーによって取り囲まれている。従って、特に中央の、例えば円形の領域を、少なくとも１つの光源のために、この光源を取り囲む特に円環状の領域から、特にコンパクトかつ組み付けし易い形式で、空間的に分離することができる。
【００１７】
別の構成では、光ガイドエレメントの光出射開口から、少なくとも１つの光源に直接接近することができ、即ち、例えばカバーが設けられていない。従って、少なくとも１つの光源と光出射開口との間の光損失は最小限にされる。
【００１８】
さらに別の構成では、光ガイドエレメントが、前方に向かって拡開する（反射する）内面を有している。内面は例えば、ほぼ切頭円錐状の輪郭を有することができる。これにより、少なくとも１つの光源から発せられる光ビームの放射をコリメートすることができるという利点が得られ、これにより細い角度分配が生じる。角度傾斜α（「ドラフトアングル」とも言う）が１°〜１０°、特に１°〜５°（最終値を含む）の範囲にあると有利である。
【００１９】
選択的な一実施態様では、光ガイドエレメントが前方に向かって減径する内面を有していて、例えば逆の切頭円錐状の輪郭を有している。これにより、少なくとも１つの光源から発せられる光ビームの放射をデコリメートすることができるという利点が得られ、これにより細い角度分配が生じる。角度傾斜αが−１°〜−１０°、特に−１°〜−５°（最終値を含む）の範囲であると有利である。
【００２０】
さらに一実施態様では、光ガイドエレメントの内面が、光学的作用を有する表面構造を有している。従って、特に、少なくとも１つの光源から発せられる光の、例えば輝度及び／又は色に関して光の混合を簡単かつコンパクトな形式で得ることができる。
【００２１】
別の構成では、表面構造が波形構造を有している、若しくは波形構造によって形成されている。波形構造は例えば、サイン曲線状の波形構造であって良いが、スプラインのような形状又は自由な形状であっても良い。波形構造のいわゆる「ピーク・トゥ・ヴァリー」角度βが３０°；６０°の範囲であると有利である。選択的に、例えば環状のジグ・ザグパターンのような一般的な別の高さ方向構造を使用することもできる。
【００２２】
さらに別の構成では、表面構造体が、粗面加工された表面を有していて、例えば等方性又は異方性に散乱させる表面を有している。これにより、方位角及び／又は極角に関して向けられた光混合が得られるという利点がある。
【００２３】
光ガイドエレメントの反射表面又は内面の全体が又は一部が、単色又は多色に着色されていても良く、これにより放射光の色を着色することができる。
【００２４】
光ガイドエレメントの反射する領域、例えば内面が、一般的に、例えばコーティング又はシートによって、鏡面反射するように又は拡散反射するように構成されていて良い。コーティング又はシートは例えば、アルミニウム、銀、非導電層、及び／又は、例えば硫酸バリウムから成る少なくとも１つの層であって良い。従って、光ガイドエレメントの反射表面、例えば光ガイドエレメントの内面は、光学的なシート、例えば、反射性の高いミラーシート又はディフューザシート（いわゆる「Brightness Enhancement Film」、ＢＦＦ）又はそのようなコーティングを有することができ、これにより効率は向上する。
【００２５】
以下の図において、本発明を実施例に基づいて詳しく説明する。図面では概観しやすくするため、同一の構成要素又は機能の同じ構成要素には同じ参照記号が付されている。
【図面の簡単な説明】
【００２６】
【図１】本発明による照明モジュールを、取付けエレメントなしの状態で斜め前方若しくは上方から示した図である。
【図２】照明モジュールを斜めから見た断面図である。
【図３】照明モジュールを、その上方に図示された取付けエレメントと共に示した斜視図である。
【図４】照明モジュールを、その上方に図示された取付けエレメントと共に、内側のバヨネットソケットの領域で示した拡大図である。
【図５】別の配置における照明モジュールの発光ダイオードのグループを斜め前方から示した図である。
【図６】さらに別の配置における照明モジュールの発光ダイオードのグループを斜め前方から示した図である。
【図７ａ】１つの可能な光路を描き込んだ、発光ダイオードを取り囲む光ガイドエレメントの側方断面図である。
【図７ｂ】上記可能な光路を描き込んだ、図７ａの発光ダイオードを取り囲む光ガイドエレメントの前方斜視図である。
【図８】図７ａの発光ダイオードを取り囲む光ガイドエレメントを複数の可能な光路と共に示した側方断面図である。
【図９】発光ダイオードを取り囲む別の構成の光ガイドエレメントを複数の可能な光路と共に示した側方断面図である。
【図１０】発光ダイオードを取り囲むさらに別の構成の光ガイドエレメントを複数の可能な光路と共に示した側方断面図である。
【図１１】図１の照明モジュールの光ガイドエレメントを斜め前方から見た図である。
【図１２】図１１の光ガイドエレメントの平面図である。
【図１３】図１２の光ガイドエレメントの一部を示した図である。
【００２７】
図１には、本発明による照明モジュール１が、取付けエレメントなしの状態で斜め前方若しくは上方から見た図で示されている。図２には、照明モジュールが斜めから見た断面図で示されている。
【００２８】
照明モジュール１は、ほぼ円板状のプリント配線板２を有しており、このプリント配線板２には前面の中央領域Ｚで、発光ダイオード３の形の複数の光源が装着されている。複数の発光ダイオード３は同様に光を発することができ、又は、輝度及び／又は色に関して異なっていても良い。十字型のマトリックスパターンに配置された発光ダイオード３に共通のほぼ中空円筒状の光ガイドエレメント４は、発光ダイオード３を側方から環状に取り囲んでいる。光ガイドエレメント４の前縁部５は、ほぼ円板状の光出射開口Ｌを制限し、取り囲んでいる。光出射開口Ｌは、換言すると、光ガイドエレメント４の前側の開口である。中空円筒形状によりまっすぐ若しくは平行に延び、反射するように形成されている内面４ａは、光源３から発せられるビームの角度分配が回転対称的であるという利点を有している。
【００２９】
プリント配線板２にはさらに、中央領域Ｚを取り囲む外周領域Ｕで、別の電子構成部材３０、例えば抵抗、コンデンサ、及び／又は、例えば論理ドライブの一部としての論理モジュールが装着されている。外周領域Ｕに位置するこのような別の電子構成部材３０は環状カバー６によって覆われる。この環状カバー６は後縁部でプリント配線板２上に載置される。環状カバー６は２つのねじ７によって固定されており、やはりプリント配線板２上に設けられたプラグ２９に電気的コンタクトさせるためのプラグ貫通孔２８を有している。
【００３０】
環状カバー６は、ほぼ円筒状の内壁８（内周面又は内側の側壁に相当）を有しており、この内壁８は、照明モジュール１の中央領域Ｚ、ひいては光ガイドエレメント４も同心的に側方から取り囲んでいる。環状カバー６はさらに、ほぼ円筒状の外壁９（外周壁又は外側の側壁に相当）を有している。外壁９は内壁８と同じ高さである。内壁８と外壁９とは、その後縁部でプリント配線板２上に載置することができ、その前縁部で上壁１０を介して結合することができる。上壁１０はこの場合、円環状の扁平な板として形成されている。光ガイドエレメント４と環状カバー６とは別個の構成部分であって良く、又は互いに結合される構成部分であって良く、又は互いに一体的であって良い。
【００３１】
環状カバー６の内壁８には、内側のバヨネットソケット１１の形の第１の固定用インターフェースが組み込まれている。環状カバー６の外壁９には、外側のバヨネットソケット１２の形の第２の固定用インターフェースが組み込まれている。各バヨネットソケット１１，１２は、それぞれ前方から接近できる３つの縦スリット１３を有しており、縦スリット１３の端部には直角に、短い横スリット１４が続いている。縦スリット１３は水平底面を有しており、この水平底面は位置調整の補助としても使用することができる。取付けエレメントは、バヨネットソケット１１又は１２に適合するバヨネットベースを有していて、このバヨネットベースは縦スリット１３に差込可能であって、回転させることにより横スリット１４において固定可能である。バヨネットソケットとバヨネットベースとの係止のために、横スリット１４には係止突起が設けられており、この係止突起上に、相応するバヨネットベースの係止（対応）突起１５がスライドされる。
【００３２】
光出射開口Ｌと内壁８と外壁９とは、同じ高さで終わっている。これにより取付けエレメントを簡単に、環状カバー６に接触させることができる。照明モジュール１は換言すると、ほぼ扁平な前面を有しており、この前面では、環状カバー６と光ガイドエレメント４とが同一平面に位置している。
【００３３】
照明モジュール１は簡単にヒートシンク（図示せず）に挿入することができ、例えばヒートシンクの相応の収容部に挿入することにより、例えば背面に面接触させることにより可能である。これにより効果的な冷却を簡単に行うことができる。
【００３４】
図３には、照明モジュール１が、その上方に図示されたリフレクタ１６の形の取付けエレメントとしての光学エレメントと共に斜視図で示されている。図４には、照明モジュール１が、その上方に図示されたリフレクタ１６と共に、内側のバヨネットソケット１１の領域の拡大図で示されている。リフレクタ１６は、鉢形の、例えばパラボラ状に成形された反射する内面１７を有していて、背面側の光入射開口（図示せず）で、光ガイドエレメント４の光出射開口Ｌの上又は近傍に取り付けられる。照明モジュール１に固定するために、リフレクタ１６は、照明モジュール１の内側の（小さい方の）バヨネットソケット１１に係合するための背面側のバヨネットベース１８を有している。バヨネットベース１８は、バヨネットソケットに補完的な３つの縦スリット１９と横スリット２０とを有しており、横スリット２０には係止突起１５が設けられている。同様に、相応により大きなバヨネットベースを有し、相応により大きな光入射開口を有した別の取付けエレメントを外側のバヨネットソケット１２に取り付けることもできる。
【００３５】
図５には、例えば照明モジュール１で使用するための、別の配置における発光ダイオード３のグループが斜め前方から示されている。発光ダイオード３は、方形の（ｍ×ｎの）マトリックスパターン（ここでは正方形の５×５のマトリックスパターン）で配置されている。
【００３６】
図６には、さらに別の配置における発光ダイオード３のグループが、図５と同様の図で示されている。この場合、発光ダイオード３は、中央の１つの装着スペースを有した同心的な複数のリングから成るパターンで配置されている。
【００３７】
例えば、六角形のパターンのようなさらに別のパターンも可能である。
【００３８】
図７ａには、発光ダイオード３を取り囲む光ガイドエレメント４の側方断面図が示されていて、この図には、発光ダイオード３から光出射開口Ｌまでの可能な光路Ｐが描き加えられている。図７ｂには、光ガイドエレメント４が斜め前方から見た図で示されている。図７ａには、光ガイドエレメント４の側方にさらに、右側の環状カバー６が示されている。
【００３９】
両図について、発光ダイオード３は、ランベルト放射器として典型的にはほぼ前方に向かって、前方の半分のスペース内に放射する。この半分のスペースは、同様に前方に向けられた対称軸線を中心としてセンタリングされている。従って、発光ダイオード３から発せられる光の一部は直接、光出射開口Ｌから出て、その他の部分は、光出射開口Ｌから出る前に、反射表面として働く反射性の内面４ａで一回又は複数回反射される。描き加えられた光路Ｐは、中央の発光ダイオード３から放射され、内面４ａで二回反射された光ビームを示している。
【００４０】
図８には、発光ダイオード３を取り囲む光ガイドエレメント４が側方断面図で示されていて、複数の発光ダイオード３のうちの１つの発光ダイオード３の複数の光路Ｐが示されている。この場合、光路Ｐは単純な線で示されている。
【００４１】
発光ダイオード３の光は、「光通路」として作用する光ガイドエレメント４によって、発光ダイオード３の平面から、照明モジュール１のより高い平面、即ち、光出射開口Ｌの平面へとガイドされる。これにより、外周領域Ｕ又は環状カバーの体積が成す電子的構成部材３０のために必要な構成スペースは、橋絡されて、新たなより高い位置にある光出射平面を規定する。
【００４２】
取付けエレメントは、光を放射する新たな平面としての光出射開口Ｌに任意に近づけることができ、これにより入射損失が回避される。発光ダイオード３と別の電子構成部材３０とは保護することができる。導電的な取付けエレメント（例えば、アルミニウムリフレクタ）は、光ガイドエレメントが導電的に構成されていない場合、プリント配線板２の導電的な部分から絶縁することができる。このことは、エアギャップ及び漏れ経路の維持を簡単にする。
【００４３】
取付けエレメントは一般的に、光学機器又は光学的なエレメントとして形成することができ、例えば反射光学機器（例えばリフレクタ）又は屈折光学機器（例えばレンズ又はディフューザ）として形成することができる。取付けエレメントは、例えば透明なカバー板のような実質的に光学的作用を有さないエレメントであっても良い。
【００４４】
図９には、複数の可能な光路と共に、発光ダイオード３を取り囲む別の構成の光ガイドエレメント３１が側方断面図で示されている。やはりほぼ中空円筒状の光ガイドエレメント３１の内面３２の輪郭は、切頭円錐状であって、上方又は前方に向かって互いに離れるように延在している。これにより、発光ダイオード３から発せられるビームの放射をコリメートする（平行光にする）ことができるという利点が得られ、これにより狭い角度分配が生じる。角度傾斜α（「ドラフトアングル」とも言う）が１°〜１０°、特に１°〜５°（最終値を含む）の範囲にあると有利である。
【００４５】
図１０には、複数の光路と共に、発光ダイオード３を取り囲むさらに別の構成の光ガイドエレメント３３が側方断面図で示されている。やはりほぼ中空円筒状の光ガイドエレメント３３の内面３４の輪郭は、逆の切頭円錐状であって、上方又は前方に向かって互いに接近するように延在している。これにより、発光ダイオード３から発せられるビームの放射をデコリメートすることができるという利点が得られ、これにより幅広の角度分配が生じる。角度傾斜αが−１°〜−１０°、特に−１°〜−５°（最終値を含む）の範囲であると有利である。
【００４６】
図１１には、再度光ガイドエレメント４が斜め前方から見た図で示されている。図１２には光ガイドエレメント４が平面図で示されていて、図１３には図１２の光ガイドエレメント４の一部が示されている。これら３つの図面では、光ガイドエレメント４は、反射する内面４ａに、環状の（広義で）波形構造の形の表面構造を有している。波形構造は例えば、図示されているようにサイン曲線状の波形構造であって良いが、スプラインのような形状又は自由な形状であっても良い。波形構造のいわゆる「ピーク・トゥ・ヴァリー」角度βが３０°；６０°であると有利である。このような表面構造により、発光ダイオード３から放射される光が混合され、即ち、輝度及び／又は色に関して混合される。
【００４７】
選択的に、例えば環状のジグ・ザグパターンのような別の表面構造を使用することもできる。
【００４８】
もちろん、本発明は図示された実施例に限定されるものではない。
【００４９】
従って、光ガイドエレメントの反射表面、例えば光ガイドエレメントの内面は、光学的なシート、例えば、反射性の高いミラーシート又はディフューザシート（いわゆる「Brightness Enhancement Film」、ＢＦＦ）又はそのような層を有することができ、これにより効率は向上する。
【００５０】
従って、光ガイドエレメントの反射表面は、粗面加工された表面を有しているか、又は粗面であって良く、例えば、等方性又は異方性に散乱する表面を有していて良い。これにより、方位角及び／又は極角に関して方向付けられた混合光が得られるという利点がある。
【００５１】
光ガイドエレメントの反射面全体が又は一部が、単色又は多色に着色されていても良く、これにより放射光の色を着色することができる。
【００５２】
特に記載がない限りは、種々異なる実施例の特徴を組み合わせることができ、例えば光ガイドエレメントの内面の波形パターンを、内面の切頭円錐状の輪郭と組み合わせることができる。
【符号の説明】
【００５３】
１  照明モジュール
２  プリント配線板
３  発光ダイオード
４  光ガイドエレメント
４ａ  光ガイドエレメントの内面
５  光ガイドエレメントの前縁部
６  環状カバー
７  ねじ
８  内壁
９  外壁
１０  上壁
１１  内側のバヨネットソケット
１２  外側のバヨネットソケット
１３  縦スリット
１４  横スリット
１５  係止突起
１６  リフレクタ
１７  内面
１８  バヨネットソケット
１９  縦スリット
２０  横スリット
２８  プラグ用貫通孔
２９  プラグ
３０  電子構成部材
３１  光ガイドエレメント
３２  光ガイドエレメントの内面
３３  光ガイドエレメント
３４  光ガイドエレメントの内面
Ｌ  光出射開口
Ｕ  プリント配線板の外周領域
Ｚ  プリント配線板の中央領域
【図１】
2013513198.tif 000003
【図２】
2013513198.tif 000004
【図３】
2013513198.tif 000005
【図４】
2013513198.tif 000006
【図５】
2013513198.tif 000007
【図６】
2013513198.tif 000008
【図７ａ】
2013513198.tif 000009
【図７ｂ】
2013513198.tif 000010
【図８】
2013513198.tif 000011
【図９】
2013513198.tif 000012
【図１０】
2013513198.tif 000013
【図１１】
2013513198.tif 000014
【図１２】
2013513198.tif 000015
【図１３】
2013513198.tif 000016
【国際調査報告】
2013513198.tif 000017
2013513198.tif 000018
2013513198.tif 000019
2013513198.tif 000020